(57)【要約】      （修正有）【課題】簡素な構成で、ハンマ駆動軸を簡便かつ確実に保持することができ、量産性、組立作業性、固定安定性に優れると共に、槌打の際の衝撃に強く、ハンマ駆動軸の空回りの恐れが無く、ハンマを確実に揺動させることができ、動作の確実性に優れ、摩耗などが少ない耐久性に優れた除塵用ハンマ取付金具を提供する。【解決手段】槌打装置のハンマ３をハンマ駆動軸２に固定する一対の取付部材４ａ，４ｂを備えた除塵用ハンマ取付金具４であって、各々の取付部材が、一端部に形成され互いに固定される固定端部５ａ，５ｂと、固定端部から延設されハンマ駆動軸を挟持し固定するハンマ駆動軸取付部８ａ，８ｂと、ハンマ駆動軸取付部から延設され互いに固定される延設部９ａ，９ｂと、延設部から延設されハンマの一端に横架されたハンマ軸３ａを回動自在に挟持するハンマ軸挟持部１２ａ，１２ｂと、を備える。【選択図】図２
0003191050.tif 000002
【実用新案登録請求の範囲】
【請求項１】
槌打装置のハンマをハンマ駆動軸に固定する一対の取付部材を備えた除塵用ハンマ取付金具であって、
各々の前記取付部材が、一端部に形成され互いに固定される固定端部と、前記固定端部から延設され前記ハンマ駆動軸を挟持し固定するハンマ駆動軸取付部と、前記ハンマ駆動軸取付部から延設され互いに固定される延設部と、前記延設部から延設され前記ハンマの一端に横架されたハンマ軸を回動自在に挟持するハンマ軸挟持部と、を備えたことを特徴とする除塵用ハンマ取付金具。
【請求項２】
少なくともいずれか一方の前記取付部材の前記ハンマ駆動軸取付部の内面に形成され前記ハンマ駆動軸の外面に形成された被嵌合部又は嵌合部と嵌合する嵌合部又は被嵌合部を備えたことを特徴とする請求項１に記載の除塵用ハンマ取付金具。
【考案の詳細な説明】
【技術分野】
【０００１】
本考案は、電極又は壁面等に付着した固形物をハンマの槌打によって剥離する槌打装置の除塵用ハンマ取付金具に関する。
【背景技術】
【０００２】
従来、（特許文献１）のように、電気集塵装置の集塵極に吸引されたダストや、サイロ等の壁面に堆積した固形物を剥離するためにハンマの衝撃力によって落下させる槌打装置が知られている。電気集塵装置は、放電極と集塵極の間に生じる電場により、各種気体中のダストを主として集塵極に捕集させて浄化するものであり、集塵極に吸引されたダストは槌打装置のハンマの衝撃力によって集塵極の表面から剥離し、ホッパに落下させられた後、捕集される。
（特許文献１）をはじめとする従来の槌打装置の除塵用ハンマ取付金具の構造について説明する。
図６は従来の除塵用ハンマ取付金具を用いた槌打装置の要部を示す模式正面図であり、図７は図６のＣ−Ｃ線矢視断面模式図である。
図６及び図７中、２１はハンマ駆動軸２２を回動させることによりハンマ駆動軸２２に取り付けられた左右２つのハンマ２３を前後に揺動させる揺動機構、２４は一対の取付部材２４ａ，２４ｂ（図７）によって各々のハンマ２３をハンマ駆動軸２２に取り付ける除塵用ハンマ取付金具、２８ａ，２８ｂは半円筒状に形成されハンマ駆動軸２２を挟持し固定するハンマ駆動軸取付部（図７）、２９ａ，２９ｂは各々のハンマ駆動軸取付部２８ａ，２８ｂから延設され互いに当接する板状の延設部（図７）、３１は延設部２９ａ，２９ｂに穿設された貫通孔に貫設されるボルト３１ａにナット３１ｂ（図７）を螺合して延設部２９ａ，２９ｂを固定する固定手段（図７）、３２ａ，３２ｂは各々の延設部２９ａ，２９ｂから延設して半円筒状に形成されハンマ２３の一端に横架されたハンマ軸２３ａを回動自在に挟持するハンマ軸挟持部（図７）、３３ａはハンマ駆動軸２２の一側部に円形の凹状に形成された被嵌合部、３３ｂは一方の取付部材２４ａのハンマ駆動軸取付部２８ａの内面に円形の凸状に形成されハンマ駆動軸２２の被嵌合部３３ａと嵌合する嵌合部（図７）である。
図６において、揺動機構２１によってハンマ駆動軸２２を回動させることにより、除塵用ハンマ取付金具２４を介してハンマ２３を揺動させ、集塵極を槌打する。これにより、集塵極に吸引されたダストを剥離し落下させる。
【先行技術文献】
【特許文献】
【０００３】
【特許文献１】実開平２‐８３０４４号公報
【考案の概要】
【考案が解決しようとする課題】
【０００４】
しかしながら上記従来の技術においては、以下のような課題を有していた。
（１）（特許文献１）等で用いられている従来の除塵用ハンマ取付金具は、ハンマ駆動軸取付部の一側部に形成された延設部のみを固定手段で固定しているだけなので、ハンマによる槌打時の衝撃でハンマ駆動軸取付部が開きやすく、嵌合部が被嵌合部から外れかかった際に干渉し摩耗することや、嵌合部が被嵌合部から外れハンマ駆動軸が空回りすることがあり、耐久性やハンマの揺動動作の確実性に欠ける。
（２）また、除塵用ハンマ取付金具の開きにより、嵌合部が被嵌合部と干渉して摩耗が発生しやすいため交換頻度が高く長寿命性、メンテナンス性に欠ける。
本考案は上記従来の課題を解決するもので、簡素な構成で、ハンマ駆動軸を簡便かつ確実に保持することができ、量産性、組立作業性、固定安定性に優れると共に、槌打の際の衝撃に強く、ハンマ駆動軸の空回りの恐れが無く、ハンマを確実に揺動させることができ、動作の確実性に優れ、摩耗などが少ない耐久性に優れた除塵用ハンマ取付金具を提供することを目的とする。
【課題を解決するための手段及びそれによって得られる作用、効果】
【０００５】
上記課題を解決するために本考案の除塵用ハンマ取付金具は以下の構成を有している。
本考案の請求項１に記載の除塵用ハンマ取付金具は、槌打装置のハンマをハンマ駆動軸に固定する一対の取付部材を備えた除塵用ハンマ取付金具であって、各々の前記取付部材が、一端部に形成され互いに固定される固定端部と、前記固定端部から延設され前記ハンマ駆動軸を挟持し固定するハンマ駆動軸取付部と、前記ハンマ駆動軸取付部から延設され互いに固定される延設部と、前記延設部から延設され前記ハンマの一端に横架されたハンマ軸を回動自在に挟持するハンマ軸挟持部と、を備えた構成を有している。
この構成により、以下のような作用、効果が得られる。
（１）除塵用ハンマ取付金具が、槌打装置のハンマをハンマ駆動軸に固定する一対の取付部材を備え、各々の取付部材が、一端部に形成され互いに固定される固定端部と、固定端部から延設されハンマ駆動軸を挟持し固定するハンマ駆動軸取付部と、ハンマ駆動軸取付部から延設され互いに固定される延設部とを有することにより、ハンマ駆動軸の両側を固定端部と、延設部で固定することができるので、各々の取付部材とハンマ駆動軸との固定の確実性に優れ、槌打時の衝撃や振動でハンマ駆動軸取付部が開くことを防止でき、ハンマ駆動軸の保持の安定性に優れる。
（２）各々の取付部材が、延設部から延設されハンマの一端に横架されたハンマ軸を回動自在に挟持するハンマ軸挟持部を備えることにより、ハンマ駆動軸を回動させるだけで容易かつ確実にハンマを揺動させることができ、動作の確実性に優れる。
（３）従来技術の除塵用ハンマ取付金具に比べ固定端部を加えた簡素な構成でありながら、量産性が低下することがなく、確実にハンマ駆動軸と固定することができ、既存品との交換が容易で汎用性に優れる。
【０００６】
ここで、除塵用ハンマ取付金具としては、鋳造等で形成されたものが好適に用いられる。鋳造品等を用いた場合、衝撃や振動に強く、耐久性に優れ、穴あけ加工等の追加工の作業性に優れる。また適宜、鋼材を用いて溶接や、切削等を施して製作することもできる。
【０００７】
一対の取付部材の固定端部と延設部の固定手段としては、各々の取付部材の固定端部と延設部に貫通孔を設けボルトとナットで螺子止めして固定するものが好適に用いられる。必要に応じて容易に着脱することができ、交換が容易でメンテナンス性に優れるためである。
また、一対の取付部材は固定端部で開閉自在に連結する構成とすることもできる。例えば、固定端部同士を軸ピンで開閉自在に連結することで除塵用ハンマ取付金具を一体化して持ち運べ、取付の作業では、延設部のみを螺子止めで固定すればよいので作業性に優れる。
【０００８】
ハンマ駆動軸取付部としては、ハンマ駆動軸を挟持し固定することができればよく、形状は適宜選択することができる。例えば、少なくとも一部が多角柱状に形成されたハンマ駆動軸をハンマ駆動軸取付部で挟持し固定することで回り止めとしてもよいし、ハンマ駆動軸外面とハンマ駆動軸取付部内面にそれぞれ凹凸を形成し、それらを係合させたり嵌合させたりしてハンマ駆動軸取付部で挟持し固定することで回り止めとしてもよい。
【０００９】
ハンマ軸挟持部としては、ハンマの一端に形成されたハンマ軸を回動自在に挟持することができればよく、直接ハンマ駆動軸を挟持しても良いし、ハンマ軸に嵌合した滑り軸受等をハンマ軸挟持部で挟持してもよい。軸受等を用いた場合、除塵用ハンマ取付金具が摩耗せず、メンテナンス時に軸受部分のみ交換すればよいので、耐久性、省資源性に優れる。
【００１０】
本考案の請求項２に記載の除塵用ハンマ取付金具は、少なくともいずれか一方の前記取付部材の前記ハンマ駆動軸取付部の内面に形成され前記ハンマ駆動軸の外面に形成された被嵌合部又は嵌合部と嵌合する嵌合部又は被嵌合部を備えた構成を有している。
この構成により、請求項１で得られる作用、効果に加え、以下のような作用、効果が得られる。
（１）少なくともいずれか一方の取付部材のハンマ駆動軸取付部の内面に形成されハンマ駆動軸の外面に形成された被嵌合部又は嵌合部と嵌合する嵌合部又は被嵌合部を備えることにより、ハンマ駆動軸取付部とハンマ駆動軸を固定してハンマ駆動軸と除塵用ハンマ取付金具を一体化することができるので、除塵用ハンマ取付金具をハンマ駆動軸と一緒に回動させることができ、動作の確実性に優れる。
（２）ハンマ駆動軸取付部の両側を固定端部と、延設部で確実に固定することにより、槌打時の衝撃や振動でハンマ駆動軸取付部が開かないので、嵌合部と被嵌合部が外れかかって干渉し摩耗することや、嵌合部と被嵌合部が外れハンマ駆動軸が空回りすることが無く、耐久性、動作の安定性に優れる。また、耐久性に優れているので、交換頻度が少なく、メンテナンス性に優れる。
【００１１】
ここで、嵌合部と被嵌合部は、互いに嵌合するものであればよく、その形状や数、配置、組合わせは適宜選択することができる。また、除塵用ハンマ取付金具を鋳物で作製する場合は、凸状の嵌合部や凹状の被嵌合部を一体形成することができ追加工が不要で、防錆塗装等の際に追加工部分のマスキング等の手間が無く省力性、量産性に優れる。少なくともいずれか一方の取付部材のハンマ駆動軸取付部の内面に被嵌合部又は嵌合部を備えていればよいが、両方の取付部材に被嵌合部又は嵌合部を備えてもよい。
【図面の簡単な説明】
【００１２】
【図１】実施の形態１における除塵用ハンマ取付金具を用いた槌打装置の要部を示す模式正面図
【図２】図１のＡ−Ａ線矢視断面模式図
【図３】図１のＢ−Ｂ線矢視断面模式図
【図４】実施の形態１における除塵用ハンマ取付金具の置決め固定具を示す取付固定具側からの模式平面図
【図５】実施の形態２における除塵用ハンマ取付金具の模式斜視図
【図６】従来技術の除塵用ハンマ取付金具を用いた槌打装置の要部を示す模式正面図
【図７】図６のＣ−Ｃ線矢視断面模式図
【考案を実施するための形態】
【００１３】
本考案の実施の形態における除塵用ハンマ取付金具について、以下図面を参照しながら説明する。
なお、本考案は以下に説明する実施の形態に限定されるものではない。
（実施の形態１）
図１は実施の形態１における除塵用ハンマ取付金具を用いた槌打装置の要部を示す模式正面図であり、図２は図１のＡ−Ａ線矢視断面模式図である。
図１及び図２中、１はハンマ駆動軸２を回動させることによりハンマ駆動軸２に取り付けられた左右２つのハンマ３を前後に揺動させる揺動機構、４は一対の取付部材４ａ，４ｂ（図２）によって各々のハンマ３をハンマ駆動軸２に取り付ける除塵用ハンマ取付金具、５ａ，５ｂは各々の取付部材４ａ，４ｂの一端部に形成され互いに当接する表裏の板状の固定端部、６ａ，６ｂは固定端部５ａ，５ｂに穿設された貫通孔、７は貫通孔６ａ，６ｂに貫設されるボルト７ａにナット７ｂを螺合して固定端部５ａ，５ｂ同士を固定する固定手段、８ａ，８ｂは各々の固定端部５ａ，５ｂから延設して半円筒状に形成されハンマ駆動軸２を挟持し固定するハンマ駆動軸取付部、９ａ，９ｂは各々のハンマ駆動軸取付部８ａ，８ｂから延設され互いに当接する板状の延設部、１０ａ，１０ｂは延設部９ａ，９ｂに穿設された貫通孔、１１は貫通孔１０ａ，１０ｂに貫設されるボルト１１ａにナット１１ｂを螺合して延設部９ａ，９ｂを固定する固定手段、１２ａ，１２ｂは各々の延設部９ａ，９ｂから延設して半円筒状に形成されハンマ３の一端に横架されたハンマ軸３ａを回動自在に挟持するハンマ軸挟持部である。
図１では、ハンマ駆動軸２に対し、揺動機構１の左右２箇所に除塵用ハンマ取付金具４によってハンマ３が取り付けられているが、これに限定するものではなく、ハンマ３の数や配置は適宜選択することができる。
【００１４】
次に、実施の形態１の除塵用ハンマ取付金具の取付部材の詳細について説明する。
図３は図１のＢ−Ｂ線矢視断面模式図であり、図４は実施の形態１における除塵用ハンマ取付金具の取付部材を示す模式平面図である。
図３及び図４中、１３ａはハンマ駆動軸２の一側部に円形の凹状に形成された被嵌合部（図３）、１３ｂは一方の取付部材４ａのハンマ駆動軸取付部８ａの内面に円形の凸状に形成されハンマ駆動軸２の被嵌合部１３ａと嵌合する嵌合部である。
本実施の形態では、一方の取付部材４ａのハンマ駆動軸取付部８ａのみに一つの凸状の嵌合部１３ｂを設けたが、ハンマ駆動軸２に凸状の嵌合部１３ｂを形成し、取付部材４ａのハンマ駆動軸取付部８ａに凹状の被嵌合部１３ａを形成してもよい。また、取付部材４ａ，４ｂの各々のハンマ駆動軸取付部８ａ，８ｂに被嵌合部１３ａ又は嵌合部１３ｂを設けてもよい。尚、被嵌合部１３ａや嵌合部１３ｂを複数設けることもできる。
【００１５】
以上のように構成された実施の形態１の除塵用ハンマ取付金具を用いた槌打装置について、以下その動作を説明する。
図１において、揺動機構１でハンマ駆動軸２を回動させることにより、除塵用ハンマ取付金具４によってハンマ駆動軸２に取り付けられたハンマ３を揺動させハンマ３によって槌打を行う。
実施の形態１の除塵用ハンマ取付金具４は、ハンマ駆動軸取付部８ａ，８ｂの両側の固定端部５ａ，５ｂと延設部９ａ，９ｂが固定手段７，１１によって固定されているので、槌打の衝撃によってハンマ駆動軸取付部８ａ，８ｂが開くことが無い。したがって、嵌合部１３ｂが被嵌合部１３ａに確実に嵌合されて外れることがないのでハンマ駆動軸２の回動時にハンマ駆動軸２の空転を確実に防止することができる。
なお、本実施の形態ではハンマ駆動軸取付部８ａ，８ｂを半円筒状に形成したが、ハンマ駆動軸２を固定できるものであればよく、形状は適宜、選択することができる。例えばハンマ駆動軸２の一部を角柱上に形成し、ハンマ駆動軸取付部８ａ，８ｂを断面コ字形に形成してもよい。
また、固定端部５ａ，５ｂ及び延設部９ａ，９ｂを固定する固定手段７，１１は適宜選択することができる。
【００１６】
以上のように実施の形態１における除塵用ハンマ取付金具は構成されているので、以下のような作用、効果が得られる。
（１）除塵用ハンマ取付金具が、槌打装置のハンマをハンマ駆動軸に固定する一対の取付部材を備え、各々の取付部材が、一端部に形成され互いに固定される固定端部と、固定端部から延設されハンマ駆動軸を挟持し固定するハンマ駆動軸取付部と、ハンマ駆動軸取付部から延設され互いに固定される延設部とを有することにより、ハンマ駆動軸の両側を固定端部と、延設部で固定することができるので、各々の取付部材とハンマ駆動軸との固定の確実性に優れ、槌打時の衝撃や振動でハンマ駆動軸取付部が開くことを防止でき、ハンマ駆動軸の保持の安定性に優れる。
（２）各々の取付部材が、延設部から延設されハンマの一端に横架されたハンマ軸を回動自在に挟持するハンマ軸挟持部を備えることにより、ハンマ駆動軸を回動させるだけで容易かつ確実にハンマを矢印方向に揺動させることができ、動作の確実性に優れる。
（３）少なくともいずれか一方の取付部材のハンマ駆動軸取付部の内面に形成されハンマ駆動軸の外面に形成された被嵌合部又は嵌合部と嵌合する嵌合部又は被嵌合部を備えることにより、ハンマ駆動軸取付部とハンマ駆動軸を固定してハンマ駆動軸と除塵用ハンマ取付金具を一体化することができるので、除塵用ハンマ取付金具をハンマ駆動軸と一緒に回動させることができ、動作の確実性に優れる。
（４）ハンマ駆動軸取付部の両側を固定端部と、延設部で確実に固定することにより、槌打時の衝撃や振動でハンマ駆動軸取付部が開かないので、嵌合部と被嵌合部が外れかかって干渉し摩耗することや、嵌合部と被嵌合部が外れハンマ駆動軸が空回りすることが無く、耐久性、動作の安定性に優れる。また、耐久性に優れているので、交換頻度が少なく、メンテナンス性に優れる。
（５）従来技術の除塵用ハンマ取付金具に比べ固定端部を加えた簡素な構成でありながら、量産性が低下することがなく、確実にハンマ駆動軸と固定することができ、既存品との交換が容易で汎用性に優れる。
【００１７】
（実施の形態２）
本考案の実施の形態２における除塵用ハンマ取付金具について、以下図面を参照しながら説明する。
尚、実施の形態１と同様のものには同一の符号を付して説明を省略する。
図５は実施の形態２における除塵用ハンマ取付金具の模式斜視図である。
図５において、実施の形態
２の除塵用ハンマ取付金具１４が実施の形態１と異なるのは平板状の固定端部５ａ，５ｂをボルト７ａとナット７ｂを用いた固定手段７で固定する代わりに、固定端部１５ａ，１５ｂに筒状の固定端連結筒１６ａ，１６ｂを形成し軸ピン１７を挿通して一対の取付部材１４ａ，１４ｂを回動自在に連結している点である。
本実施の形態では除塵用ハンマ取付金具１４の一方の取付部材４ａの固定端部１５ａの端部中央に１つの固定端連結筒１６ａを配置し、他方の取付部材４ｂの固定端部１５ｂの端部両側に離間して２つの固定端連結筒１６ｂを配置したが、固定端連結筒１６ａ，１６ｂの数や配置は適宜選択することができる。例えば、各々の固定端部１５ａ，１５ｂに互い違いに１つずつの固定端連結筒１６ａ，１６ｂを配置してもよい。
【００１８】
以上のように構成された実施の形態２の除塵用ハンマ取付金具を用いた槌打装置の動作は実施の形態１と同様なので説明を省略する。
【００１９】
以上のように実施の形態２における除塵用ハンマ取付金具は構成されているので、実施の形態１の作用、効果に加え、以下のような作用、効果が得られる。
（１）取付部材が、固定端部に固定端連結筒を備え、軸ピンによって開閉自在に連結されているので、除塵用ハンマ取付金具を一体として取り扱うことができ、持ち運びが容易で、取付時の固定箇所も少なく組立や交換の作業性に優れる。
【産業上の利用可能性】
【００２０】
本考案は、簡素な構成で、ハンマ駆動軸を簡便かつ確実に保持することができ、量産性、組立作業性、固定安定性に優れると共に、槌打の際の衝撃に強く、ハンマ駆動軸の空回りの恐れが無く、ハンマを確実に揺動させることができ、動作の確実性に優れ、摩耗などが少ない耐久性に優れた除塵用ハンマ取付金具を提供することができる。
【符号の説明】
【００２１】
１，２１    揺動機構
２，２２    ハンマ駆動軸
３，２３    ハンマ
３ａ，２３ａ  ハンマ軸
４，１４，２４    除塵用ハンマ取付金具
４ａ，４ｂ，１４ａ，１４ｂ，２４ａ，２４ｂ    取付部材
５ａ，５ｂ，１５ａ，１５ｂ    固定端部
６ａ，６ｂ，１０ａ，１０ｂ    貫通孔
７，１１，３１    固定手段
７ａ，１１ａ，３１ａ    ボルト
７ｂ，１１ｂ，３１ｂ    ナット
８ａ，８ｂ，２８ａ，２８ｂ    ハンマ駆動軸取付部
９ａ，９ｂ，２９ａ，２９ｂ    延設部
１２ａ，１２ｂ，３２ａ，３２ｂ    ハンマ軸挟持部
１３ａ，３３ａ  被嵌合部
１３ｂ，３３ｂ    嵌合部
１６ａ，１６ｂ    固定端連結筒
１７    軸ピン
【図１】
0003191050.tif 000003
【図２】
0003191050.tif 000004
【図３】
0003191050.tif 000005
【図４】
0003191050.tif 000006
【図５】
0003191050.tif 000007
【図６】
0003191050.tif 000008
【図７】
0003191050.tif 000009